(57)【特許請求の範囲】
【請求項１】
複数階建てに建築された集合住宅における樋の配置構造において、
前記集合住宅は、上下に隣接するとともに各階において左右に並設される複数の住戸と、
各階における前記複数の住戸の出入口が面する外廊下と、
前記外廊下を含む範囲を覆う屋根と、を備えており、
各階における前記外廊下には、最上階の前記外廊下から地面までの排水を可能とする第一竪樋が前記複数の住戸の並設方向に複数設けられ、
前記屋根には、当該屋根から地面まで水を落とせる第二竪樋が前記複数の住戸の並設方向に複数設けられ、
前記第一竪樋と前記第二竪樋は、互いに独立して排水を行うように設定されるとともに、前記複数の住戸の並設方向において互いに近接した位置に配置されていることを特徴とする樋の配置構造。
【請求項２】
請求項１に記載の樋の配置構造において、
前記屋根には、前記外廊下側に傾斜する第一水勾配と、この第一水勾配とは反対方向に傾斜する第二水勾配と、が形成されており、
前記第一水勾配の勾配方向下端に形成される排水口と前記複数の第二竪樋とが接続され、
前記屋根には、前記第二水勾配から地面まで水を落とせる第三竪樋が、左右に並設された前記複数の住戸に対応して複数設けられ、これら複数の第三竪樋と前記第二水勾配の勾配方向下端に形成される排水口とが接続されていることを特徴とする樋の配置構造。
【請求項３】
請求項２に記載の樋の配置構造において、
前記複数の住戸のうち二階以上の住戸には、前記外廊下とは反対側にバルコニーが設けられており、
前記バルコニーには、最上階の前記バルコニーから地面までの排水を可能とする第四竪樋が、左右に並設された前記複数の住戸に対して複数設けられていることを特徴とする樋の配置構造。
【請求項４】
請求項２に記載の樋の配置構造において、
前記複数の住戸のうち二階以上の住戸には、前記外廊下とは反対側にバルコニーが設けられており、
前記第三竪樋は、前記バルコニーを介して、かつ当該バルコニーの排水を可能としながら前記第二水勾配から地面までの間に設けられていることを特徴とする樋の配置構造。
【請求項５】
請求項３に記載の樋の配置構造を採用した集合住宅の施工方法であって、
左右に並設される前記複数の住戸に対応する前記外廊下の長さ、または左右に並設される前記複数の住戸の戸数に応じて、前記第一竪樋から前記第四竪樋をそれぞれ配置することを特徴とする集合住宅の施工方法。
【請求項６】
請求項４に記載の樋の配置構造を採用した集合住宅の施工方法であって、
左右に並設される前記複数の住戸に対応する前記外廊下の長さ、または左右に並設される前記複数の住戸の戸数に応じて、前記第一竪樋から前記第三竪樋をそれぞれ配置することを特徴とする集合住宅の施工方法。
【発明の詳細な説明】
【技術分野】
【０００１】
本発明は、複数階建てに建築された集合住宅における樋の配置構造および集合住宅の施工方法に関する。
【背景技術】
【０００２】
従来、各階における複数の住戸が左右に並設される複数階建ての集合住宅の屋根に、その軒先に沿って軒樋が設けられる場合がある（例えば特許文献１参照）。
特許文献１においては、外廊下側に位置する軒樋が、軒先の長さ方向に沿って設けられ、建物の一方の妻側面に設けられた一本の竪樋によって雨水を下方へと排出している。すなわち、屋根を流れる雨水を、一本の軒樋と一本の竪樋とによって、まとめて排出する状態となっている。
また、外廊下にも排水溝が形成されて、この排水溝に接続された樋（排水路）と前記一本の竪樋とを、特許文献２に記載のような継手を利用して接続・合流させる場合もある。
【先行技術文献】
【特許文献】
【０００３】
【特許文献１】特開平１１−３３６２４１号公報
【特許文献２】特開平１０−０９６３１２号公報
【発明の概要】
【発明が解決しようとする課題】
【０００４】
ところで、各階において複数の住戸を左右に並設してなる複数階建ての集合住宅は、敷地の大きさに応じて、左右に並設される住戸の戸数が異なる。また、これに応じて外廊下の長さも異なるものとなる。
しかしながら、左右に並設される住戸の数が多く、特許文献１に記載のような技術を利用し、一本の軒樋と一本の竪樋で屋根からの排水を担うとなると、水勾配の距離が長くなったり、途中で詰まりが発生すると全体の排水がうまくいかなくなったりする等の不具合が生じる場合があった。
そこで、このように左右に並設される住戸の数が多い場合には、軒樋の長さを短くして複数に分け、これに応じて竪樋の数も増やすなどして対応することが考えられる。
ところが、このように竪樋の数が増えてしまうと、当該竪樋と外廊下側の樋とを、特許文献２に記載のような継手を利用して合流させる場合に、この外廊下側の樋を、外廊下を構成する梁等の構造材を貫通させなければならない場合があり、強度確保の観点からは好ましいとは言えなかった。
【０００５】
本発明の課題は、複数階建ての集合住宅において左右に並設される住戸の数が多い場合であっても、屋根や外廊下の排水を確実に行うことができるとともに、外廊下における構造上の強度を確保できる、樋の配置構造および集合住宅の施工方法を提供することを目的とする。
【課題を解決するための手段】
【０００６】
請求項１に記載の発明は、例えば図１，図２，図８〜図１１に示すように、複数階建てに建築された集合住宅１０（２０）における樋１，２，３（３Ａ），４の配置構造において、
前記集合住宅１０（２０）は、上下に隣接するとともに各階において左右に並設される複数の住戸１１，１２，１３（２１，２２，２３）と、
各階における前記複数の住戸１１，１２，１３（２１，２２，２３）の出入口が面する外廊下１４（２４）と、
前記外廊下１４（２４）を含む範囲を覆う屋根１６（２６）と、を備えており、
各階における前記外廊下１４（２４）には、最上階の前記外廊下１４（２４）から地面までの排水を可能とする第一竪樋１が前記複数の住戸１１，１２，１３（２１，２２，２３）の並設方向に複数設けられ、
前記屋根１６（２６）には、当該屋根１６（２６）から地面まで水を落とせる第二竪樋２が前記複数の住戸１１，１２，１３（２１，２２，２３）の並設方向に複数設けられ、
前記第一竪樋１と前記第二竪樋２は、互いに独立して排水を行うように設定されるとともに、前記複数の住戸１１，１２，１３（２１，２２，２３）の並設方向において互いに近接した位置に配置されていることを特徴とする。
【０００７】
請求項１に記載の発明によれば、各階における外廊下１４（２４）には、最上階の外廊下１４（２４）から地面までの排水を可能とする第一竪樋１が複数の住戸１１，１２，１３（２１，２２，２３）の並設方向に複数設けられているので、複数階建ての集合住宅１０（２０）において左右に並設される住戸１１，１２，１３（２１，２２，２３）の数が多い場合であっても、第一竪樋１によって、各階における外廊下１４（２４）の排水を行いながら地面まで確実に排水できる。
屋根１６（２６）には、当該屋根１６（２６）から地面まで水を落とせる第二竪樋２が複数の住戸１１，１２，１３（２１，２２，２３）の並設方向に複数設けられているので、複数階建ての集合住宅１０（２０）において左右に並設される住戸１１，１２，１３（２１，２２，２３）の数が多い場合であっても、第二竪樋２によって、屋根１６（２６）から地面まで確実に排水できる。
すなわち、第一竪樋１および第二竪樋２の双方とも、上方から下方に向かってシンプルに水を落とすだけとなるので、排水に係る不具合が生じにくくなる。
また、第一竪樋１と第二竪樋２は、複数の住戸１１，１２，１３（２１，２２，２３）の並設方向において互いに近接した位置に配置されているので、複数階建ての集合住宅１０（２０）において左右に並設される住戸１１，１２，１３（２１，２２，２３）の数が多い場合であっても、まとまりがある印象を付与でき、見映えが良い。
さらに、第一竪樋１と第二竪樋２は、互いに独立して排水を行うように設定されているので、例えば第一竪樋１と第二竪樋２とを合流させるために、外廊下１４（２４）を構成する梁等の構造材Ｈを貫通させる必要がなくなる。したがって、外廊下１４（２４）における構造上の強度を確保できる。
このような樋１，２の配置構造を採用すれば、敷地の大きさに応じて、左右に並設される住戸１１，１２，１３（２１，２２，２３）の戸数が多くなる場合であっても、無理のない排水計画を立てて、好適に対応することができる。
【０００８】
請求項２に記載の発明は、例えば図１〜図５，図８に示すように、請求項１に記載の樋１，２，３（３Ａ），４の配置構造において、
前記屋根１６（２６）には、前記外廊下１４（２４）側に傾斜する第一水勾配１６ａ（２６ａ）と、この第一水勾配１６ａ（２６ａ）とは反対方向に傾斜する第二水勾配１６ｂ（２６ｂ）と、が形成されており、
前記第一水勾配１６ａ（２６ａ）の勾配方向下端に形成される排水口１６ｅ（２６ｅ）と前記複数の第二竪樋２とが接続され、
前記屋根１６（２６）には、前記第二水勾配１６ｂ（２６ｂ）から地面まで水を落とせる第三竪樋３（３Ａ）が、左右に並設された前記複数の住戸１１，１２，１３（２１，２２，２３）に対応して複数設けられ、これら複数の第三竪樋３（３Ａ）と前記第二水勾配１６ｂ（２６ｂ）の勾配方向下端に形成される排水口１６ｅ（２６ｅ）とが接続されていることを特徴とする。
【０００９】
請求項２に記載の発明によれば、屋根１６（２６）には、外廊下１４（２４）側に傾斜する第一水勾配１６ａ（２６ａ）と、この第一水勾配１６ａ（２６ａ）とは反対方向に傾斜する第二水勾配１６ｂ（２６ｂ）と、が形成されているので、雨水を、複数の住戸１１，１２，１３（２１，２２，２３）が並設する方向と直交する方向に流すことができる。すなわち、敷地の大きさに応じて、左右に並設される住戸１１，１２，１３（２１，２２，２３）の戸数が多くなる場合であっても、好適に対応することができる。
また、第一水勾配１６ａ（２６ａ）の勾配方向下端に形成される排水口１６ｅ（２６ｅ）と複数の第二竪樋２とが接続されているので、複数の第二竪樋２によって、第一水勾配１６ａ（２６ａ）を流れる雨水を確実に排水できる。
また、屋根１６（２６）には、第二水勾配１６ｂ（２６ｂ）から地面まで水を落とせる第三竪樋３（３Ａ）が、左右に並設された複数の住戸１１，１２，１３（２１，２２，２３）に対応して複数設けられ、これら複数の第三竪樋３（３Ａ）と第二水勾配１６ｂ（２６Ｂ）の勾配方向下端に形成される排水口１６ｅ（２６ｅ）とが接続されているので、複数の第三竪樋３（３Ａ）によって、第二水勾配１６ｂ（２６ｂ）を流れる雨水を確実に排水できる。しかも、第三竪樋３（３Ａ）は、左右に並設された複数の住戸１１，１２，１３（２１，２２，２３）に対応して設けられているので、敷地の大きさに応じて、左右に並設される住戸１１，１２，１３（２１，２２，２３）の戸数が多くなる場合であっても、好適に対応することができる。
【００１０】
請求項３に記載の発明は、例えば図１，図４，図６，図７に示すように、請求項２に記載の樋１，２，３，４の配置構造において、
前記複数の住戸１１，１２，１３のうち二階以上の住戸１１，１２，１３には、前記外廊下１４とは反対側にバルコニー１１ｅ，１２ｅ，１３ｅが設けられており、
前記バルコニー１１ｅ，１２ｅ，１３ｅには、最上階の前記バルコニー１１ｅ，１２ｅ，１３ｅから地面までの排水を可能とする第四竪樋４が、左右に並設された前記複数の住戸１１，１２，１３に対して複数設けられていることを特徴とする。
【００１１】
請求項３に記載の発明によれば、バルコニー１１ｅ，１２ｅ，１３ｅに、最上階のバルコニー１１ｅ，１２ｅ，１３ｅから地面までの排水を可能とする第四竪樋４が、左右に並設された複数の住戸１１，１２，１３に対して複数設けられているので、第四竪樋４によって、複数の住戸１１，１２，１３のうち二階以上の住戸１１，１２，１３に設けられたバルコニー１１ｅ，１２ｅ，１３ｅの雨水を確実に排水できる。しかも、第四竪樋４は、左右に並設された複数の住戸１１，１２，１３に対応して設けられているので、敷地の大きさに応じて、左右に並設される住戸１１，１２，１３の戸数が多くなる場合であっても、好適に対応することができる。
また、第四竪樋４は、第三竪樋３とは独立して排水を行うことができるので、例えば第三竪樋３と第四竪樋４とを合流させるために、バルコニー１１ｅ，１２ｅ，１３ｅを構成する梁等の構造材を貫通させる必要がなくなる。したがって、バルコニー１１ｅ，１２ｅ，１３ｅにおける構造上の強度を確保できる。
【００１２】
請求項４に記載の発明は、例えば図２，図５〜図７に示すように、請求項２に記載の樋１，２，３Ａの配置構造において、
前記複数の住戸２１，２２，２３のうち二階以上の住戸２１，２２，２３には、前記外廊下２４とは反対側にバルコニー２１ｅ，２２ｅ，２３ｅが設けられており、
前記第三竪樋３Ａは、前記バルコニー２１ｅ，２２ｅ，２３ｅを介して、かつ当該バルコニー２１ｅ，２２ｅ，２３ｅの排水を可能としながら前記第二水勾配２６ｂから地面までの間に設けられていることを特徴とする。
【００１３】
請求項４に記載の発明によれば、第三竪樋３Ａは、複数の住戸２１，２２，２３のうち二階以上の住戸２１，２２，２３に設けられたバルコニー２１ｅ，２２ｅ，２３ｅを介して、かつ当該バルコニー２１ｅ，２２ｅ，２３ｅの排水を可能としながら第二水勾配２６ｂから地面までの間に設けられているので、第三竪樋３Ａによって、第二水勾配２６ｂを流れる雨水とバルコニー２１ｅ，２２ｅ，２３ｅの雨水とを確実に排水できる。
また、屋根２６の排水とバルコニー排水とを同一の第三竪樋３Ａで行うに当たって、特にバルコニー２１ｅ，２２ｅ，２３ｅを構成する梁等の構造材を貫通させる必要がないので、バルコニー２１ｅ，２２ｅ，２３ｅにおける構造上の強度を確保できる。
【００１４】
請求項５に記載の発明は、例えば図１，図４，図６，図７に示すように、請求項３に記載の樋１，２，３，４の配置構造を採用した集合住宅１０の施工方法であって、
左右に並設される前記複数の住戸１１，１２，１３に対応する前記外廊下１４の長さ、または左右に並設される前記複数の住戸１１，１２，１３の戸数に応じて、前記第一竪樋１から前記第四竪樋４をそれぞれ配置することを特徴とする。
【００１５】
請求項５に記載の発明によれば、左右に並設される複数の住戸１１，１２，１３に対応する外廊下１４の長さ、または左右に並設される複数の住戸１１，１２，１３の戸数に応じて、第一竪樋１から第四竪樋４をそれぞれ配置するので、敷地の大きさ位に応じて、左右に並設される住戸１１，１２，１３の戸数が多くなる場合であっても、好適に対応することができる。
【００１６】
請求項６に記載の発明は、例えば図２，図５〜図７に示すように、請求項４に記載の樋１，２，３Ａの配置構造を採用した集合住宅２０の施工方法であって、
左右に並設される前記複数の住戸２１，２２，２３に対応する前記外廊下２４の長さ、または左右に並設される前記複数の住戸２１，２２，２３の戸数に応じて、前記第一竪樋１から前記第三竪樋３Ａをそれぞれ配置することを特徴とする。
【００１７】
請求項６に記載の発明によれば、左右に並設される複数の住戸２１，２２，２３に対応する外廊下２４の長さ、または左右に並設される複数の住戸２１，２２，２３の戸数に応じて、第一竪樋１から第三竪樋３Ａをそれぞれ配置するので、敷地の大きさ位に応じて、左右に並設される住戸２１，２２，２３の戸数が多くなる場合であっても、好適に対応することができる。
【発明の効果】
【００１８】
本発明によれば、複数階建ての集合住宅において左右に並設される住戸の数が多い場合であっても、屋根や外廊下の排水を確実に行うことができるとともに、外廊下における構造上の強度を確保できる。これによって、敷地の大きさに応じて、左右に並設される住戸の戸数が多くなる場合であっても、無理のない排水計画を立てて、好適に対応することができる。
【図面の簡単な説明】
【００１９】
【図１】ＬＤＫプランの住戸を備えた集合住宅の内部と屋根とを示す平面図である。
【図２】１Ｋプランの住戸を備えた集合住宅の内部と屋根とを示す平面図である。
【図３】第二水勾配に形成された排水溝および排水口を示す断面図である。
【図４】ＬＤＫプランの住戸を備えた集合住宅におけるバルコニー付近を示す断面図である。
【図５】１Ｋプランの住戸を備えた集合住宅におけるバルコニー付近を示す断面図である。
【図６】第三竪樋または第四竪樋の配置構造を示す拡大断面図である。
【図７】第三竪樋または第四竪樋の下端部の状態を示す拡大断面図である。
【図８】ＬＤＫプランまたは１Ｋプランの住戸を備えた集合住宅における外廊下付近を示す断面図である。
【図９】第二竪樋の下端部の状態を示す拡大断面図である。
【図１０】第一竪樋の配置構造を示す拡大断面図である。
【図１１】第一竪樋の下端部の状態を示す拡大断面図である。
【発明を実施するための形態】
【００２０】
以下、図面を参照して本発明の実施の形態について説明する。
本実施の形態は、図１〜図１１に示すように、複数階建てに建築された集合住宅１０，２０における樋１，２，３，４の配置構造である。
【００２１】
＜集合住宅１０の説明＞
まず、図１に示す集合住宅１０について説明する。
集合住宅１０は、鉄骨造の三階建てであり、複数の住戸１１，１２，１３と、外廊下１４と、外階段１５と、屋根１６と、を備える。
また、この集合住宅１０は、地中に埋設されて上端部が舗装面よりも上方に突出した基礎Ｋ上に建築されている。
【００２２】
複数の住戸１１，１２，１３は、各階において左右に並設されている。すなわち、図１（ａ）において左側に位置する住戸１１と、中央に位置する住戸１２と、右側に位置する住戸１３とを指す。
そして、これら複数の住戸１１，１２，１３のそれぞれは、上下に隣接している。換言すれば、集合住宅１０における左側の列は、上下三層に重なる複数の住戸１１からなり、中央の列は上下三層に重なる複数の住戸１２からなり、右側の列は上下三層に重なる複数の住戸１３からなる。
つまり、本実施の形態における集合住宅１０は、全９戸の住戸１１，１２，１３を備えることになる。
【００２３】
集合住宅１０における各住戸１１，１２，１３の間取りは統一されている。
左側の列の住戸１１を例に挙げると、北側中央に設けられて外廊下１４に向かって開口する出入口を有する玄関１１ａがあり、玄関の東側に浴室・洗面脱衣所・トイレからなる水廻り室１１ｂがある。
さらに、玄関１１ａの西側には南北に長い居室１１ｃがあり、この居室１１ｃの東側であって、水廻り室１１ｂの南側には寝室１１ｄがある。なお、居室１１ｃは、リビングルームとダイニングルームとキッチンルームの機能を一室に併存させた部屋である。
そして、居室１１ｃの南側（すなわち、外廊下１４とは反対側）には、居室１１ｃに入り込んだインナー部分を有するバルコニー１１ｅが設けられている。
なお、バルコニー１１ｅは、二階以上の住戸１１に設けられるものであり、一階の住戸１１には設けられない。一階の住戸１１の場合は、バルコニー１１ｅが無い代わりに、二階住戸１１のバルコニー１１ｅの下方を庭として利用できる。
【００２４】
また、住戸１２も同様に、玄関１２ａと、水廻り室１２ｂと、居室１２ｃと、寝室１２ｄと、バルコニー１２ｅと、を有する。
また、住戸１３も同様に、玄関１３ａと、水廻り室１３ｂと、居室１３ｃと、寝室１３ｄと、バルコニー１３ｅと、を有する。
すなわち、集合住宅１０における住戸１１，１２，１３は、リビングルーム（Ｌ）とダイニングルーム（Ｄ）とキッチンルーム（Ｋ）のあるＬＤＫプランの住戸とされている。
【００２５】
外廊下１４は、集合住宅１０の北側に配置されており、各階における複数の住戸の出入口（玄関１１ａ，１２ａ，１３ａ）が面している。
この外廊下１４は、左右に並設される複数の住戸１１，１２，１３に対応する長さに設定されている。すなわち、各住戸１１，１２，１３の間口の広さを足し合わせた長さと、外廊下１４の長さとが略等しい。
外廊下１４は、床を構成するＡＬＣパネルからなる床パネル１４ａと、床パネル１４ａの上面に敷設される床仕上げ材１４ｂと、下階の外廊下１４における天井を構成する天井材１４ｃと、構造材Ｈと、を備える。
また、外階段１５は、踊り場が外廊下１４と一体的に形成された折り返し階段とされている。
【００２６】
屋根１６は、外廊下１４および外階段１５を含む範囲を覆っており、本実施の形態においては陸屋根とされている。ただし、これに限られるものではなく、切妻屋根や寄棟屋根等の傾斜屋根を採用してもよい。なお、傾斜屋根を採用した場合は、その屋根の縁部に沿って軒樋が設けられる。
陸屋根である屋根１６には、外廊下１４側に傾斜する第一水勾配１６ａと、この第一水勾配１６ａとは反対方向に傾斜する第二水勾配１６ｂと、が形成されている。また、第一水勾配１６ａと第二水勾配１６ｂとの境界部分は棟１６ｃとされている。また、この陸屋根である屋根１６の周縁部には、パラペットが設けられている。
【００２７】
また、図３に示すように、第一水勾配１６ａおよび第二水勾配１６ｂの勾配方向下端には、雨水を集める排水溝１６ｄが形成されている。また、この排水溝１６ｄの底面には水勾配が形成されており、水勾配の勾配方向下端には、水を排出する排水口１６ｅが設けられている。
なお、排水口１６ｅは、屋根１６の周縁部に設けられたパラペットを貫通する管材によって構成されている。
【００２８】
＜集合住宅１０における樋の配置構造の説明＞
次に、以上のような集合住宅１０に採用される樋の配置構造について説明する。
集合住宅１０に採用される樋の配置構造においては、第一竪樋１と、第二竪樋２と、第三竪樋３と、第四竪樋４が使用されている。
【００２９】
まず、第一竪樋１についてより詳細に説明する。
各階における外廊下１４には、図１，図８に示すように、最上階の外廊下１４から地面までの排水を可能とする第一竪樋１が複数の住戸１１，１２，１３の並設方向に複数設けられている。
第一竪樋１は、複数の管材１ａと、排水ドレン１ｂと、中継ドレン１ｃと、複数の誘導管１ｄと、を含んで構成されている。
なお、第一竪樋１は、当該第一竪樋１に近接する外廊下１４の壁１４ｄに設けられた樋受け金物によって当該壁１４ｄに保持される。
【００３０】
図８に示すように、排水ドレン１ｂは、最上階の外廊下１４を構成する床パネル１４ａおよび床仕上げ材１４ｂを貫通するようにして設けられるものである。
図８，図１０に示すように、中継ドレン１ｃは、最上階以外の外廊下１４を構成する床パネル１４ａおよび床仕上げ材１４ｂを貫通するようにして設けられている。当該中継ドレン１ｃは、上方から設けられる管材１ａが接続されて雨水を受けるとともに、最上階以外の外廊下１４自体の雨水を受けることができるものである。受けた雨水は下方へと送られる。
【００３１】
三階の外廊下１４に設けられた排水ドレン１ｂの下端部に、二階の天井材１４ｃを貫通するようにして短尺な管材１ａが接続されている。
この短尺な管材１ａには、壁１４ｄ側に当該第一竪樋１を誘導する誘導管１ｄが接続されている。
この誘導管１ｄの下端部には長尺な管材１ａが接続され、さらに、この長尺な管材１ａの下端部には、壁１４ｄから離間する方向に第一竪樋１を誘導する誘導管１ｄが接続されている。
また、この誘導管１ｄの下端部には短尺な管材１ａが接続されて、この短尺な管材１ａの下端部は、二階の外廊下１４に設けられた中継ドレン１ｃに接続されている。
中継ドレン１ｃの下端部には、一階の天井材１４ｃを貫通するようにして短尺な管材１ａが接続されている。
以上の説明が、三階の外廊下１４から二階の外廊下１４を貫通するまでの第一竪樋１の配置である。
【００３２】
二階の外廊下１４から一階の外廊下１４を貫通するまでの第一竪樋１の配置は、最上部の排水ドレン１ｂを除いて、三階の外廊下１４から二階の外廊下１４を貫通するまでの第一竪樋１の配置と同様である。
一階の外廊下１４を貫通した後の第一竪樋１の配置は、図１１に示すように、一階の外廊下１４を構成する床パネル１４ａおよび床仕上げ材１４ｂを貫通した短尺な管材１ａの下端部に、第一竪樋１を基礎Ｋ側に誘導する誘導管１ｄが接続されている。
この誘導管１ｄの端部には、基礎Ｋを貫通する管材１ａが接続されている。そして、この基礎Ｋを貫通する管材１ａの端部には、第一竪樋１を地面側に誘導する誘導管１ｄが接続されている。
この最後の誘導管１ｄの先には、図示しない排水路が設けられているものとする。
なお、第一竪樋１は、下端部が基礎Ｋを貫通して設けられ、かつ第二竪樋２と同一の排水路（後述する）へと繋がるため、図１（ａ）に示すように、第二竪樋２の位置から横（壁１４ｄの幅方向・外廊下１４の長さ方向）にずれて配置されている。
【００３３】
続いて、第二竪樋２についてより詳細に説明する。
屋根１６には、図１，図８に示すように、当該屋根１６から地面まで水を落とせる第二竪樋２が複数の住戸１１，１２，１３の並設方向に複数設けられている。
このような第二竪樋２は、複数の管材２ａと、これら複数の管材２ａをつなぐ複数の継手２ｂと、を備える。
【００３４】
第二竪樋２を構成する管材２ａのうち最上部に位置する管材２ａは、第一水勾配１６ａの勾配方向下端に形成された複数の排水口１６ｅと接続されている。
第二竪樋２は、図８，図９に示すように、上端部が屋根１６の高さに位置し、下端部が地面まで到達した状態となっている。途中部分は、第二竪樋２に近接する外廊下１４の壁１４ｄに設けられた樋受け金物によって当該壁１４ｄに保持される。
また、第二竪樋２の下端部は、図９に示すように、上側に位置する長尺な管材１ａと、地面に到達する短尺な管材１ａとを継手２ｂによって繋いだ状態となっている。
第二竪樋２のうち、地面に到達する下端部の先には、図示しない排水路が設けられているものとする。なお、この排水路は、第一竪樋１が接続される排水路と共通のものである。
【００３５】
以上のような第一竪樋１と第二竪樋２は、互いに独立して排水を行うように設定されるとともに、複数の住戸１１，１２，１３の並設方向において互いに近接した位置に配置されている。
すなわち、第一竪樋１と第二竪樋２は、排水路に排出した水は合流する、または合流してもよいものであるが、それ以前の段階では完全に独立した状態となっている。
また、外廊下１４の外側縁部に沿って設けられる壁１４ｄは、外廊下１４の長さ方向に点在するように設けられるものであるが、一つ一つの壁１４ｄの内側面と外側面に、第一竪樋１と第二竪樋２のそれぞれが設けられた状態となっている。
【００３６】
続いて、第三竪樋３についてより詳細に説明する。
屋根１６には、図１に示すように、第二水勾配１６ｂから地面まで水を落とせる第三竪樋３が、左右に並設された複数の住戸１１，１２，１３に対応して複数設けられている。
このような第三竪樋３は、複数の管材３ａと、これら複数の管材３ａをつなぐ複数の継手（図示せず）と、を備える。
【００３７】
第三竪樋３を構成する管材３ａのうち最上部に位置する管材３ａは、第二水勾配１６ｂの勾配方向下端に形成された複数の排水口１６ｅと接続されている。
第三竪樋３は、上端部が屋根１６の高さに位置し、下端部が地面まで到達した状態となっている。途中部分は、第三竪樋３に近接する外壁１７に設けられた樋受け金物によって当該壁１７に保持される。
第三竪樋３のうち、地面に到達する下端部の先には、図示しない排水路が設けられているものとする。
【００３８】
続いて、第四竪樋４についてより詳細に説明する。
バルコニー１１ｅ，１２ｅ，１３ｅには、図１，図４に示すように、最上階のバルコニー１１ｅ，１２ｅ，１３ｅから地面までの排水を可能とする第四竪樋４が、左右に並設された複数の住戸１１，１２，１３に対して複数設けられている。
バルコニー１１ｅ，１２ｅ，１３ｅは、床を構成するＡＬＣパネルからなる床パネル１８ａと、床パネル１８ａの上面に敷設される床仕上げ材１８ｂと、バルコニー１１ｅ，１２ｅ，１３ｅにおける天井を構成する天井材１８ｃと、構造材（図示せず）と、を備える。
第四竪樋４は、複数の管材４ａと、排水ドレン４ｂと、中継ドレン４ｃと、複数の誘導管４ｄと、継手４ｅと、を含んで構成されている。
なお、第四竪樋４は、この第四竪樋４に近接するバルコニーの壁１７に設けられた樋受け金物によって当該壁１７に保持される。
【００３９】
図４に示すように、排水ドレン４ｂは、最上階のバルコニー１１ｅ，１２ｅ，１３ｅを構成する床パネル１８ａおよび床仕上げ材１８ｂを貫通するようにして設けられるものである。
図１，図４に示すように、中継ドレン４ｃは、最上階以外のバルコニー１１ｅ，１２ｅ，１３ｅを構成する床パネル１８ａおよび床仕上げ材１８ｂを貫通するようにして設けられている。当該中継ドレン４ｃは、上方から設けられる管材４ａが接続されて雨水を受けるとともに、最上階以外のバルコニー１１ｅ，１２ｅ，１３ｅ自体の雨水を受けることができるものである。受けた雨水は下方へと送られる。
【００４０】
三階のバルコニー１１ｅ，１２ｅ，１３ｅに設けられた排水ドレン４ｂの下端部に、二階の天井材１８ｃを貫通するようにして短尺な管材４ａが接続されている。
この短尺な管材４ａには、壁１７側に当該第四竪樋４を誘導する誘導管４ｄが接続されている。
この誘導管４ｄの下端部には長尺な管材４ａが接続され、さらに、この長尺な管材４ａの下端部には、壁１７から離間する方向に第四竪樋４を誘導する誘導管４ｄが接続されている。
また、この誘導管４ｄの下端部には短尺な管材４ａが接続されて、この短尺な管材４ａの下端部は、二階のバルコニー１１ｅ，１２ｅ，１３ｅに設けられた中継ドレン４ｃに接続されている。
中継ドレン４ｃの下端部には、一階の天井材１８ｃを貫通するようにして短尺な管材４ａが接続されている。
以上の説明が、三階のバルコニー１１ｅ，１２ｅ，１３ｅから、二階のバルコニー１１ｅ，１２ｅ，１３ｅの床を貫通するまでの第四竪樋４の配置である。
【００４１】
二階のバルコニー１１ｅ，１２ｅ，１３ｅから地面までの第四竪樋４の配置は、下端部を除いて同様である。
すなわち、第四竪樋４の下端部は、図７に示すように、上側に位置する長尺な管材４ａと、地面に到達する短尺な管材４ａとを継手４ｅによって繋いだ状態となっている。
第四竪樋４のうち、地面に到達する下端部の先には、図示しない排水路が設けられているものとする。なお、この排水路は、第三竪樋３が接続される排水路と合流するものである。
【００４２】
以上のような第三竪樋３と第四竪樋４は、互いに独立して排水を行うように設定されるとともに、バルコニー１１ｅ，１２ｅ，１３ｅの周囲において互いに近接した位置に配置されている。
すなわち、第三竪樋３と第四竪樋４は、排水路に排出した水は合流する、または合流してもよいものであるが、それ以前の段階では完全に独立した状態となっている。
【００４３】
＜集合住宅１０の施工方法＞
次に、以上のような樋１，２，３，４の配置構造を採用した集合住宅１０の施工方法について説明する。
【００４４】
集合住宅１０を施工する際は、まず、複数の住戸１１，１２，１３を一階から順に組み上げていく。また、外廊下１４および外階段１５の施工も進める。
屋根１６の施工を行う際には、屋根１６に第一水勾配１６ａと第二水勾配１６ｂを形成するとともに、排水溝１６ｄおよび排水口１６ｅを形成する。
なお、複数の住戸１１，１２，１３内部の施工については説明を省略する。
【００４５】
続いて、左右に並設される複数の住戸１１，１２，１３に対応する外廊下１４の長さ、または左右に並設される複数の住戸１１，１２，１３の戸数に応じて、第一竪樋１から第四竪樋４をそれぞれ配置する。
すなわち、外廊下１４側に配置される第一竪樋１と第二竪樋２については、左右に並設される複数の住戸１１，１２，１３に対応する外廊下１４の長さに応じて配置する。
また、バルコニー１１ｅ，１２ｅ，１３ｅ側に配置される第三竪樋３と第四竪樋４については、左右に並設される複数の住戸１１，１２，１３の戸数に応じて配置する。
なお、第一竪樋１と第四竪樋４が設けられる位置の床パネル１４ａ，１８ａ、床仕上げ材１４ｂ，１８ｂ、天井材１４ｃ，１８ｃには、排水ドレン１ｂ，４ｂや中継ドレン１ｃ，４ｃ等を通すための貫通孔を予め形成しておくことが好ましい。
【００４６】
以上のようにして各樋１，２，３，４の配置構造を採用した集合住宅１０を施工することができる。
なお、集合住宅１０における住戸１１，１２，１３の戸数は、敷地の大きさによって異なるものであり、敷地の大きさが判明すれば、各竪樋１，２，３，４の配置箇所は集合住宅１０の設計段階で概ね判明する。換言すれば、以上のような施工方法は、各樋１，２，３，４の設計方法にも転用できる。
【００４７】
また、各樋１，２，３，４が水を排出する際に負担できる面積は、その内径の大きさや各ドレンによる排水の仕組みによって異なる。
設計の段階では、このような各樋１，２，３，４の性能についても勘案することが望ましい。そして、左右に並設される住戸１１，１２，１３の戸数が多くなる場合に、性能の異なる樋１，２，３，４を適宜選択してもよい。
【００４８】
＜集合住宅２０の説明＞
続いて、図２に示す集合住宅２０について説明する。
集合住宅２０は、鉄骨造の三階建てであり、複数の住戸２１，２２，２３と、外廊下２４と、外階段２５と、屋根２６と、を備える。
また、この集合住宅２０は、地中に埋設されて上端部が舗装面よりも上方に突出した基礎Ｋ上に建築されている。
【００４９】
複数の住戸２１，２２，２３は、上述の集合住宅１０における複数の住戸１１，１２，１３の場合と同様に、図２（ａ）において左側から住戸２１、住戸２２、住戸２３と並んでいる。さらに、これら複数の住戸２１，２２，２３のそれぞれは上下に隣接している。
つまり、本実施の形態における集合住宅２０も、上述の集合住宅１０と同様に、全９戸の住戸２１，２２，２３を備えることになる。
【００５０】
集合住宅２０における各住戸２１，２２，２３の間取りは、界壁を介して隣り合う住戸同士が左右対称となっている。ただし、住宅内の設備やその配置については統一されている。
左側の列の住戸２１を例に挙げると、北側右寄りに設けられて外廊下１４に向かって開口する出入口を有する玄関２１ａがあり、玄関２１ａの南側には、界壁に沿って南北に長い廊下２１ｂがある。
廊下２１ｂの西側には、浴室・洗面脱衣所・トイレおよびキッチンスペースがまとめられた水廻り室２１ｃがある。
廊下２１ｂおよび水廻り室２１ｃの南側には、寝室としても利用される居室２１ｄがある。
そして、居室２１ｄの南側（すなわち、外廊下２４とは反対側）には、居室２１ｄに入り込んだインナー部分を有するバルコニー２１ｅが設けられている。
なお、バルコニー２１ｅは、二階以上の住戸２１に設けられるものであり、一階の住戸２１には設けられない。一階の住戸２１の場合は、バルコニー２１ｅが無い代わりに、二階住戸２１のバルコニー２１ｅの下方を庭として利用できる。
【００５１】
また、住戸２２も同様に、玄関２２ａと、廊下２２ｂと、水廻り室２２ｃと、居室２２ｄと、バルコニー２２ｅと、を有する。
また、住戸２３も同様に、玄関２３ａと、廊下２３ｂと、水廻り室２３ｃと、居室２３ｄと、バルコニー２３ｅと、を有する。
すなわち、集合住宅２０における住戸２１，２２，２３は、一つの居室と、その居室から仕切られたキッチン（Ｋ）を備えた１Ｋタイプの住戸とされている。
なお、中央の列の住戸２２は、このような左側の列の住戸２１とは左右対称の間取りを有する。また、右側の列の住戸２３は、このような左側の列の住戸２１と同一の間取りを有する。
【００５２】
外廊下２４は、集合住宅２０の北側に配置されており、各階における複数の住戸の出入口（玄関２１ａ，２２ａ，２３ａ）が面している。
この外廊下２４は、左右に並設される複数の住戸２１，２２，２３に対応する長さに設定されている。すなわち、各住戸２１，２２，２３の間口の広さを足し合わせた長さと、外廊下２４の長さとが略等しい。
外廊下２４は、床を構成するＡＬＣパネルからなる床パネル２４ａと、床パネル２４ａの上面に敷設される床仕上げ材２４ｂと、下階の外廊下２４における天井を構成する天井材２４ｃと、第一竪樋１および第二竪樋２を保持する樋受け金物が設けられる壁２４ｄと、を備える。
また、外階段２５は、踊り場が外廊下２４と一体的に形成された折り返し階段とされている。
【００５３】
屋根２６は、上述の集合住宅１０における屋根１６の場合と同様に、外廊下２４および外階段２５を含む範囲を覆っており、本実施の形態においては陸屋根とされている。
陸屋根である屋根２６には、外廊下２４側に傾斜する第一水勾配２６ａと、この第一水勾配２６ａとは反対方向に傾斜する第二水勾配２６ｂと、が形成されている。また、第一水勾配２６ａと第二水勾配２６ｂとの境界部分は棟２６ｃとされている。また、この陸屋根である屋根２６の周縁部には、パラペットが設けられている。
【００５４】
また、第一水勾配２６ａおよび第二水勾配２６ｂの勾配方向下端には、雨水を集める排水溝（図示せず）が形成されている。また、この排水溝の底面には水勾配が形成されており、水勾配の勾配方向下端には、水を排出する排水口２６ｅが設けられている。
なお、外廊下２４側の排水口２６ｅは、屋根２６の周縁部に設けられたパラペットを貫通する管材によって構成されている。また、バルコニー２１ｅ，２２ｅ，２３ｅ側の排水口２６ｅは、排水溝に形成された孔（屋根２６に形成された孔）であり、当該孔には、後述する排水ドレン３ｂが水密に設けられている。
【００５５】
＜集合住宅２０における樋の配置構造の説明＞
次に、以上のような集合住宅２０に採用される樋の配置構造について説明する。
集合住宅２０に採用される樋の配置構造においては、第一竪樋１と、第二竪樋２と、第三竪樋３が使用されている。
【００５６】
まず、第一竪樋１と第二竪樋２について説明する。
各階における外廊下２４には、図２，図８等に示すように、最上階の外廊下２４から地面までの排水を可能とする第一竪樋１が複数の住戸２１，２２，２３の並設方向に複数設けられている。
屋根２６には、図２，図８に示すように、当該屋根２６から地面まで水を落とせる第二竪樋２が複数の住戸２１，２２，２３の並設方向に複数設けられている。また、第二竪樋２を構成する管材２ａのうち最上部に位置する管材２ａは、第一水勾配２６ａの勾配方向下端に形成された複数の排水口２６ｅと接続されている。
すなわち、集合住宅２０における第一竪樋１と第二竪樋２の配置構造は、集合住宅１０における第一竪樋１と第二竪樋２の配置構造と同様なので説明を省略する。
【００５７】
続いて、第三竪樋３Ａについてより詳細に説明する。
屋根２６には、図２，図５に示すように、第二水勾配２６ｂから地面まで水を落とせる第三竪樋３Ａが、左右に並設された複数の住戸２１，２２，２３に対応して複数設けられている。さらに、この第三竪樋３Ａは、バルコニー２１ｅ，２２ｅ，２３ｅを介して、かつ当該バルコニー２１ｅ，２２ｅ，２３ｅの排水を可能としながら第二水勾配２６ｂから地面までの間に設けられている。
このような第三竪樋３Ａは、複数の管材３ａと、排水ドレン３ｂと、中継ドレン３ｃと、複数の誘導管３ｄと、継手３ｅと、を含んで構成されている。
なお、第三竪樋３は、この第三竪樋３に近接するバルコニーの壁２７に設けられた樋受け金物によって当該壁２７に保持される。
【００５８】
第三竪樋３Ａを構成する管材３ａのうち最上部に位置する管材３ａは、第二水勾配２６ｂの勾配方向下端に形成された複数の排水口２６ｅに対して設けられた排水ドレン３ｂと接続されている。
この最上部に位置する管材３ａは、最上階のバルコニー２１ｅ，２２ｅ，２３ｅの天井材２８ｃを貫通している。そして、この管材３ａの下端部には、壁２７側に当該第三竪樋３を誘導する誘導管３ｄが接続されている。
この誘導管３ｄの下端部には長尺な管材３ａが接続され、さらに、この長尺な管材３ａの下端部には、壁２７から離間する方向に第三竪樋３を誘導する誘導管３ｄが接続されている。
また、この誘導管３ｄの下端部には短尺な管材３ａが接続されて、この短尺な管材３ａの下端部は、三階のバルコニー２１ｅ，２２ｅ，２３ｅに設けられた中継ドレン３ｃに接続されている。
中継ドレン３ｃの下端部には、二階の天井材２８ｃを貫通するようにして短尺な管材３ａが接続されている。
以上の説明が、屋根２６から、三階のバルコニー２１ｅ，２２ｅ，２３ｅの床を貫通するまでの第三竪樋３の配置である。
二階のバルコニー２１ｅ，２２ｅ，２３ｅの天井から、二階のバルコニー２１ｅ，２２ｅ，２３ｅの床を貫通するまでの第三竪樋３の配置は、以上と略同様であるため、説明を省略する。
【００５９】
二階のバルコニー１１ｅ，１２ｅ，１３ｅの下面から地面までの第三竪樋３の配置は、下端部を除いて同様である。
すなわち、第三竪樋３の下端部は、図７に示すように、上側に位置する長尺な管材３ａと、地面に到達する短尺な管材３ａとを継手３ｅによって繋いだ状態となっている。
第三竪樋３のうち、地面に到達する下端部の先には、図示しない排水路が設けられているものとする。
【００６０】
＜集合住宅２０の施工方法＞
次に、以上のような樋１，２，３Ａの配置構造を採用した集合住宅２０の施工方法について説明する。
【００６１】
集合住宅２０を施工する際は、まず、複数の住戸２１，２２，２３を一階から順に組み上げていく。また、外廊下２４および外階段２５の施工も進める。
屋根２６の施工を行う際には、屋根２６に第一水勾配２６ａと第二水勾配２６ｂを形成するとともに、排水溝２６ｄおよび排水口２６ｅを形成する。
なお、複数の住戸２１，２２，２３内部の施工については説明を省略する。
【００６２】
続いて、左右に並設される複数の住戸２１，２２，２３に対応する外廊下２４の長さ、または左右に並設される複数の住戸２１，２２，２３の戸数に応じて、第一竪樋１から第三竪樋３Ａをそれぞれ配置する。
すなわち、外廊下２４側に配置される第一竪樋１と第二竪樋２については、左右に並設される複数の住戸２１，２２，２３に対応する外廊下２４の長さに応じて配置する。
また、バルコニー２１ｅ，２２ｅ，２３ｅ側に配置される第三竪樋３については、左右に並設される複数の住戸２１，２２，２３の戸数に応じて配置する。
なお、第一竪樋１と第三竪樋３が設けられる位置の床パネル２４ａ，２８ａ、床仕上げ材２４ｂ，２８ｂ、天井材２４ｃ，２８ｃには、排水ドレン１ｂや中継ドレン１ｃ，３ｃ等を通すための貫通孔を予め形成しておくことが好ましい。
【００６３】
以上のようにして各樋１，２，３Ａの配置構造を採用した集合住宅２０を施工することができる。
なお、集合住宅２０における住戸２１，２２，２３の戸数は、敷地の大きさによって異なるものであり、敷地の大きさが判明すれば、各竪樋１，２，３Ａの配置箇所は集合住宅２０の設計段階で概ね判明する。換言すれば、以上のような施工方法は、各樋１，２，３Ａの設計方法にも転用できる。
【００６４】
また、各樋１，２，３Ａが水を排出する際に負担できる面積は、その内径の大きさや各ドレンによる排水の仕組みによって異なる。
設計の段階では、このような各樋１，２，３Ａの性能についても勘案することが望ましい。そして、左右に並設される住戸２１，２２，２３の戸数が多くなる場合に、性能の異なる樋１，２，３Ａを適宜選択してもよい。
【００６５】
本実施の形態によれば、各階における外廊下１４（２４）には、最上階の外廊下１４（２４）から地面までの排水を可能とする第一竪樋１が複数の住戸１１，１２，１３（２１，２２，２３）の並設方向に複数設けられているので、複数階建ての集合住宅１０（２０）において左右に並設される住戸１１，１２，１３（２１，２２，２３）の数が多い場合であっても、第一竪樋１によって、各階における外廊下１４（２４）の排水を行いながら地面まで確実に排水できる。
屋根１６（２６）には、当該屋根１６（２６）から地面まで水を落とせる第二竪樋２が複数の住戸１１，１２，１３（２１，２２，２３）の並設方向に複数設けられているので、複数階建ての集合住宅１０（２０）において左右に並設される住戸１１，１２，１３（２１，２２，２３）の数が多い場合であっても、第二竪樋２によって、屋根１６（２６）から地面まで確実に排水できる。
すなわち、第一竪樋１および第二竪樋２の双方とも、上方から下方に向かってシンプルに水を落とすだけとなるので、排水に係る不具合が生じにくくなる。
また、第一竪樋１と第二竪樋２は、複数の住戸１１，１２，１３（２１，２２，２３）の並設方向において互いに近接した位置に配置されているので、複数階建ての集合住宅１０（２０）において左右に並設される住戸１１，１２，１３（２１，２２，２３）の数が多い場合であっても、まとまりがある印象を付与でき、見映えが良い。
さらに、第一竪樋１と第二竪樋２は、互いに独立して排水を行うように設定されているので、例えば第一竪樋１と第二竪樋２とを合流させるために、外廊下１４（２４）を構成する梁等の構造材Ｈを貫通させる必要がなくなる。したがって、外廊下１４（２４）における構造上の強度を確保できる。
このような樋１，２の配置構造を採用すれば、敷地の大きさに応じて、左右に並設される住戸１１，１２，１３（２１，２２，２３）の戸数が多くなる場合であっても、無理のない排水計画を立てて、好適に対応することができる。
【００６６】
また、屋根１６（２６）には、外廊下１４（２４）側に傾斜する第一水勾配１６ａ（２６ａ）と、この第一水勾配１６ａ（２６ａ）とは反対方向に傾斜する第二水勾配１６ｂ（２６ｂ）と、が形成されているので、雨水を、複数の住戸１１，１２，１３（２１，２２，２３）が並設する方向と直交する方向に流すことができる。すなわち、敷地の大きさに応じて、左右に並設される住戸１１，１２，１３（２１，２２，２３）の戸数が多くなる場合であっても、好適に対応することができる。
また、第一水勾配１６ａ（２６ａ）の勾配方向下端に形成される排水口１６ｅ（２６ｅ）と複数の第二竪樋２とが接続されているので、複数の第二竪樋２によって、第一水勾配１６ａ（２６ａ）を流れる雨水を確実に排水できる。
また、屋根１６（２６）には、第二水勾配１６ｂ（２６ｂ）から地面まで水を落とせる第三竪樋３（３Ａ）が、左右に並設された複数の住戸１１，１２，１３（２１，２２，２３）に対応して複数設けられ、これら複数の第三竪樋３（３Ａ）と第二水勾配１６ｂ（２６Ｂ）の勾配方向下端に形成される排水口１６ｅ（２６ｅ）とが接続されているので、複数の第三竪樋３（３Ａ）によって、第二水勾配１６ｂ（２６ｂ）を流れる雨水を確実に排水できる。しかも、第三竪樋３（３Ａ）は、左右に並設された複数の住戸１１，１２，１３（２１，２２，２３）に対応して設けられているので、敷地の大きさに応じて、左右に並設される住戸１１，１２，１３（２１，２２，２３）の戸数が多くなる場合であっても、好適に対応することができる。
【００６７】
また、ＬＤＫプランの集合住宅１０において、バルコニー１１ｅ，１２ｅ，１３ｅに、最上階のバルコニー１１ｅ，１２ｅ，１３ｅから地面までの排水を可能とする第四竪樋４が、左右に並設された複数の住戸１１，１２，１３に対して複数設けられているので、第四竪樋４によって、複数の住戸１１，１２，１３のうち二階以上の住戸１１，１２，１３に設けられたバルコニー１１ｅ，１２ｅ，１３ｅの雨水を確実に排水できる。しかも、第四竪樋４は、左右に並設された複数の住戸１１，１２，１３に対応して設けられているので、敷地の大きさに応じて、左右に並設される住戸１１，１２，１３の戸数が多くなる場合であっても、好適に対応することができる。
また、第四竪樋４は、第三竪樋３とは独立して排水を行うことができるので、例えば第三竪樋３と第四竪樋４とを合流させるために、バルコニー１１ｅ，１２ｅ，１３ｅを構成する梁等の構造材を貫通させる必要がなくなる。したがって、バルコニー１１ｅ，１２ｅ，１３ｅにおける構造上の強度を確保できる。
【００６８】
また、ＬＤＫプランの集合住宅１０を施工するに当たり、左右に並設される複数の住戸１１，１２，１３に対応する外廊下１４の長さ、または左右に並設される複数の住戸１１，１２，１３の戸数に応じて、第一竪樋１から第四竪樋４をそれぞれ配置するので、敷地の大きさ位に応じて、左右に並設される住戸１１，１２，１３の戸数が多くなる場合であっても、好適に対応することができる。
【００６９】
また、１Ｋプランの集合住宅２０において、第三竪樋３Ａは、複数の住戸２１，２２，２３のうち二階以上の住戸２１，２２，２３に設けられたバルコニー２１ｅ，２２ｅ，２３ｅを介して、かつ当該バルコニー２１ｅ，２２ｅ，２３ｅの排水を可能としながら第二水勾配２６ｂから地面までの間に設けられているので、第三竪樋３Ａによって、第二水勾配２６ｂを流れる雨水とバルコニー２１ｅ，２２ｅ，２３ｅの雨水とを確実に排水できる。
また、屋根２６の排水とバルコニー排水とを同一の第三竪樋３Ａで行うに当たって、特にバルコニー２１ｅ，２２ｅ，２３ｅを構成する梁等の構造材を貫通させる必要がないので、バルコニー２１ｅ，２２ｅ，２３ｅにおける構造上の強度を確保できる。
【００７０】
また、１Ｋプランの集合住宅２０を施工するに当たり、左右に並設される複数の住戸２１，２２，２３に対応する外廊下２４の長さ、または左右に並設される複数の住戸２１，２２，２３の戸数に応じて、第一竪樋１から第三竪樋３Ａをそれぞれ配置するので、敷地の大きさ位に応じて、左右に並設される住戸２１，２２，２３の戸数が多くなる場合であっても、好適に対応することができる。
【符号の説明】
【００７１】
１  第一竪樋
２  第二竪樋
３  第三竪樋
３Ａ  第三竪樋
４  第四竪樋
１０  集合住宅
１１  住戸
１１ｅ  バルコニー
１２  住戸
１２ｅ  バルコニー
１３  住戸
１３ｅ  バルコニー
１４  外廊下
１６  屋根
１６ａ  第一水勾配
１６ｂ  第二水勾配
２０  集合住宅
２１  住戸
２１ｅ  バルコニー
２２  住戸
２２ｅ  バルコニー
２３  住戸
２３ｅ  バルコニー
２４  外廊下
２６  屋根
２６ａ  第一水勾配
２６ｂ  第二水勾配
【図１】
0006468938.tif 000002
【図２】
0006468938.tif 000003
【図３】
0006468938.tif 000004
【図４】
0006468938.tif 000005
【図５】
0006468938.tif 000006
【図６】
0006468938.tif 000007
【図７】
0006468938.tif 000008
【図８】
0006468938.tif 000009
【図９】
0006468938.tif 000010
【図１０】
0006468938.tif 000011
【図１１】
0006468938.tif 000012